(57)【特許請求の範囲】
【請求項１】
扁平に折畳み可能のホース（１）の曲がり補助具（４）であって、前記ホース（１）を膨らませた状態で挿通し得る太さを有し、その全長に亙って一方向に均一に曲がった剛直な筒体（５）の、当該曲がり方向に対して垂直方向に、その全長に亙って開口部（６）を形成したことを特徴とする、ホースの曲がり補助具
【請求項２】
前記筒体（５）の曲がり角度（α）が、１５〜６０度曲がっていることを特徴とする、請求項１に記載のホースの曲がり補助具
【請求項３】
前記筒体（５）の曲率半径が、筒体（５）の口径の５〜１５倍であることを特徴とする、請求項１に記載のホースの曲がり補助具
【請求項４】
前記開口部（６）が、筒体（５）の周長の５〜３０％であることを特徴とする、請求項１に記載のホースの曲がり補助具
【請求項５】
前記開口部（６）の反対面に脚（７）を設けたことを特徴とする、請求項１に記載のホースの曲がり補助具
【発明の詳細な説明】
【技術分野】
【０００１】
本発明はホースの曲がり補助具に関するものであって、特に消防用ホースや排水ホースなどのように扁平に折り畳まれたホースを、キンクすることなくスムーズに曲げることができる補助具に関するものである。
【背景技術】
【０００２】
従来この種の曲がり補助具としては、実願平２−１２５０６１号出願（実開平４‐８２４９３号）のマイクロフィルムや、実用新案登録第３１３１７３９号公報などに記載されたものが知られている。
【０００３】
これらのものは、ホースを挿通し得る太さの管を約９０度程度に曲げ、その曲がりの外側彎曲面にスリットを形成したものであって、当該スリットからホースを管内に挿入するようにしたものである。
【０００４】
しかしながらこのものでは、管内に挿通されたホース内に水を送入し、ホースに内圧がかかると、ホースが真っ直ぐに延びようとするため、前記スリットを押し拡げてホースが管から押し出されることがある。
【０００５】
また実用新案登録第３０６６０５０号公報には、ホースを挿通し得る管を９０度乃至１８０度屈曲し、その屈曲方向に対して垂直方向にスリットを形成したものが記載されているが、かかる構造ではこの中に挿通されたホースが急角度で屈曲されるため、器具の中でキンクしてしまう可能性が高い。
【０００６】
また建設マネジメント技術２００９年５月号６０〜６６ページには、図４に示すように、ホース１を曲げたときの曲がりの内側部分及び外側部分に沿うサポート板２に、ホース１をベルト３で括りつけるようにしたものが記載されている。
【０００７】
しかしながらこのものではサポート板２にホース１を取り付ける手間がかかる。しかも
ホース１に消防用ホースなどのように大きな内圧が作用したときには、ホース１が直線状に延びようとするため、それをサポート板２に固定し続けることが困難となることも起こり得る。
【先行技術文献】
【特許文献】
【０００８】
【特許文献１】実願平２−１２５０６１号出願（実開平４‐８２４９３号）のマイクロフィルム
【特許文献２】実用新案登録第３１３１７３９号公報
【特許文献３】実用新案登録第３０６６０５０号公報
【非特許文献】
【０００９】
【非特許文献１】建設マネジメント技術２００９年５月号６０〜６６ページ
【発明の概要】
【発明が解決しようとする課題】
【００１０】
本発明はかかる事情に鑑みなされたものであって、ホースを器具に取り付けるためにベルトなどを使用することがなく、且つホースに内圧が作用して真っ直ぐに延びようとした場合においても、ホースが器具から脱落するようなことがないようにすることを目的とするものである。
【課題を解決するための手段】
【００１１】
而して本発明は、扁平に折畳み可能のホースの曲がり補助具であって、前記ホースを膨らませた状態で挿通し得る太さを有し、その全長に亙って一方向に均一に曲がった剛直な筒体の、当該曲がり方向に対して垂直方向に、その全長に亙って開口部を形成したことを特徴とするものである。
【００１２】
本発明のホースの曲がり補助具においては、前記筒体の曲がり角度が、１５〜６０度曲がっていることが好ましい。また前記筒体の曲率半径が、筒体の口径の５〜１５倍であることが好ましい。また前記開口部が、筒体の周長の５〜３０％であることが好ましい。また前記開口部の反対面には、脚を設けることが好ましい。
【発明の効果】
【００１３】
本発明によれば、剛直な筒体内に前記開口部からホースを挿入するので、そのホースを筒体に取り付けるために、ベルトなどの特別な手段を必要とせず、またホースに内圧がかかっていても扁平であっても、ホースは筒体により保持されるので、何ら問題なく使用することができる。
【００１４】
また本発明は、曲がった剛直な筒体の、その曲がり方向に対して垂直方向に開口部を形成しているので、その筒体内に挿通したホースに内圧が作用し、ホースが真っ直ぐに延びようとした場合においても、ホースには筒体の開口部に向かう力が作用することはなく、ホースが筒体から抜け出すことがない。
【図面の簡単な説明】
【００１５】
【図１】本発明のホースの曲がり補助具の平面図
【図２】図１のII−II断面図
【図３】本発明の使用状態を示す側面図
【図４】従来の曲がり補助具の使用状態図
【発明を実施するための形態】
【００１６】
以下本発明を図面に基づいて説明する。図１及び図２は本発明のホースの曲がり補助具４を示すものであって、図１はその平面図であり、図２は横断面図である。
【００１７】
当該曲がり補助具４はホース１を挿通し得る太さを有する筒体５であって、当該筒体５はＦＲＰなどの剛直な材料よりなっている。そしてその全長に亙って一方向に均一に曲がっており、当該曲がり方向に対して垂直方向に、その全長に亙って開口部６が形成されている。
【００１８】
そして当該曲がり補助具４の開口部６からホース１を筒体５内に挿入する。例えば高い位置と低い位置との間にホース１を敷設する場合には、高い位置の端部においてホース１が局部的に当たり、また低い位置からホース１が立ち上がる個所においてホース１が地面に擦れる。
【００１９】
そこで図３に示すようにかかるホース１が局部的に当たったり地面に擦れたりする箇所に本発明の曲がり補助具４を取り付けることにより、ホース１の損傷を有効に防止することができる。
【００２０】
そして当該筒体５の曲がり角度αは、１５〜６０度曲がっていることが適当である。また当該筒体５の曲がりの曲率半径Ｒは、筒体５の口径の５〜１５倍程度とするのが適当である。
【００２１】
前記特許文献１乃至３に記載されたものにおいては、管を９０度又はそれ以上に屈曲せしめられており、且つ曲率半径Ｒは筒体の口径の１〜３倍程度であるので、ホース１が器具の内部でキンクする可能性があるが、本発明によれば、ホース１が曲がり補助具４内でキンクすることはない。
【００２２】
ホース１を６０度以上に曲げる必要があるときは、本発明の曲がり補助具４を若干間隔を開けてホースに複数取り付けることにより、キンクすることなく大きい範囲で曲げることが可能である。
【００２３】
また本発明における開口部６の大きさは、筒体５の周長の５〜３０％が適当である。５％あれば当該開口部６を通してホース１を筒体５内に挿入することが可能であり、３０％以下であればホース１が筒体５から脱落することはない。
【００２４】
また本発明においては、図２に示すように、前記開口部６の反対面に脚７を設けることが好ましい。本発明の曲がり補助具４を地面の上で水平方向にホース１を曲げるために使用することもでき、その場合には前記脚７で曲がり補助具４を支えることにより、曲がり補助具４が転がることなく安定してホース１を誘導することができる。
【００２５】
前記脚７は、曲がり補助具４の全長に亙って連続して設けることが好ましいが、断続的に設けることも可能である。
【符号の説明】
【００２６】
１  ホース
４  曲がり補助具
５  筒体
６  開口部
７  脚
【図１】
0006556461.tif 000002
【図２】
0006556461.tif 000003
【図３】
0006556461.tif 000004
【図４】
0006556461.tif 000005